(57)【要約】【課題】モバイル用Ｈｉｇｈ−Ｄｅｆｉｎｉｔｉｏｎ  Ｍｕｌｔｉｍｅｄｉａ  Ｉｎｔｅｒｆａｃｅを構築し、円滑化するための方法、装置およびシステムを提供する。【解決手段】一実施形態において、装置は、高品位インタフェースの複数のチャネルを１つのチャネルへとマージし、モバイル用高品位インタフェースを構築するように構成された送信機を備え、このモバイル用高品位インタフェースは、モバイルデバイス間の高品位メディアコンテンツの伝送を円滑化するように構成される。装置は、送信機と連結された受信機をさらに備え、この受信機は１本のチャネルを受け取り、この１本のチャネルを複数のチャネルにマージ解除するように構成される。【選択図】図２
2014060778.tif 000002
【特許請求の範囲】
【請求項１】
高品位インタフェースの複数のチャネルを１つのチャネルにマージし、モバイル用高品位インタフェースを構築するように構成された送信機であって、前記モバイル用高品位インタフェースは、モバイルデバイス内の高品位メディアコンテンツの伝送を円滑化するように構成されているような送信機と、
前記送信機に連結された受信機であって、前記１つのチャネルを受け取るように構成され、前記１つのチャネルをマージ解除によって前記複数のチャネルにするように構成されているような受信機と、
を備える装置。
【請求項２】
前記モバイル用高品位インタフェースには、ＤＤＣ（Ｄｉｓｐｌａｙ  Ｄａｔａ  Ｃｈａｎｎｅｌ）バスとＣＥＣ（Ｃｏｎｓｕｍｅｒ  Ｅｌｅｃｔｒｏｎｉｃｓ  Ｃｏｎｔｒｏｌ）バスに代わる１本のコントロールバスが含まれる請求項１に記載の装置。
【請求項３】
前記モバイル用高品位インタフェースは、ＵＳＢデータを伝送できるＵＳＢ（Ｕｎｉｖｅｒｓａｌ  Ｓｅｒｉａｌ  Ｂｕｓ）チャネルをさらに含む請求項２に記載の装置。
【請求項４】
前記複数のチャネルは音声データ、映像データおよび／または補助データを一緒に、または個別に伝送するように構成され、前記映像データは前記チャネルの各々によって伝送され、水平同期（ＨＳＹＮＣ）および／または垂直同期（ＶＳＹＮＣ）データは前記チャネルの中の１つによって伝送され、前記音声データは前記チャネルの中の複数のチャネルによって伝送され、コントロールパケットは前記チャネルの中の複数のチャネルによって伝送される請求項１に記載の装置。
【請求項５】
前記１つのチャネルは、前記音声データ、前記映像データおよび前記補助データを伝送するように構成されている請求項１に記載の装置。
【請求項６】
前記複数のチャネルの前記１つのチャネルへのマージは、前記複数のチャネルを前記送信機のマルチプレクサを通じて前記１つのチャネルへと多重化するステップを含む請求項１に記載の装置。
【請求項７】
前記１本のチャネルの前記複数のチャネルへのマージ解除は、前記１つのチャネルを、前記受信機のデマルチプレクサを通じて前記複数のチャネルに分離するステップを含む請求項１に記載の装置。
【請求項８】
前記受信機は、前記１つのチャネルの前記分離が前記複数のチャネルの復号処理より前に行われる場合、前記複数のチャネルの各々について個別に復号処理を行うように構成されたデコーダを備える請求項７に記載の装置。
【請求項９】
前記デコーダは、前記１つのチャネルの前記分離が前記１つのチャネルの前記復号処理の後に行われる場合、前記１つのチャネルの復号を行うように構成されている請求項８に記載の装置。
【請求項１０】
高品位インタフェースの複数のチャネルを有する高品位インタフェースのパッケージを受け取るように構成された送信機であって、前記送信機は前記複数のチャネルを１つのチャネルへと多重化し、モバイル用高品位インタフェースを構築するように構成されたマルチプレクサを有し、前記モバイル用高品位インタフェースは、モバイルデバイス内での高品位メディアコンテンツの伝送を円滑化するように構成されているような送信機と、
前記送信機に連結された受信機であって、前記受信機は前記１つのチャネルを受け取るように構成され、前記受信機は、前記１つのチャネルを前記複数のチャネルに分離するように構成されたデマルチプレクサを備えるような受信機と、
を備えるシステム。
【請求項１１】
前記モバイル用高品位インタフェースは、ＤＤＣ（Ｄｉｓｐｌａｙ  Ｄａｔａ  Ｃｈａｎｎｅｌ）バスとＣＥＣ（Ｃｏｎｓｕｍｅｒ  Ｅｌｅｃｔｒｏｎｉｃｓ  Ｃｏｎｔｒｏｌ）バスに代わる１本のコントロールバスを備える請求項１０に記載のシステム。
【請求項１２】
前記複数のチャネルは音声データ、映像データおよび／または補助データを一緒に、または個別に伝送するように構成され、前記映像データは前記チャネルの各々によって伝送され、水平同期（ＨＳＹＮＣ）および／または垂直同期（ＶＳＹＮＣ）データは前記チャネルの中の１つによって伝送され、前記音声データは前記チャネルの中の複数のチャネルによって伝送され、コントロールパケットは前記チャネルの中の複数のチャネルによって伝送される請求項１０に記載のシステム。
【請求項１３】
前記受信機は、前記１つのチャネルの前記分離が前記複数のチャネルの復号処理より前に行われる場合、前記複数のチャネルの各々について個別に復号処理を行うように構成されたデコーダを備える請求項１０に記載のシステム。
【請求項１４】
前記デコーダは、前記１つのチャネルの前記分離が前記１つのチャネルの前記復号処理の後に行われる場合、前記１つのチャネルの復号を行うように構成されている請求項１３に記載のシステム。
【請求項１５】
高品位インタフェースのホストとなるように構成された第一のネットワークインタフェースを有する第一のネットワークデバイスであって、前記高品位インタフェースは複数のデータチャネルを有し、前記複数のデータチャネルは音声データ、映像データおよび／または補助データを伝送するように構成されているような第一のネットワークデバイスと、  モバイル用高品位インタフェースのホストとなるように構成された第二のネットワークインタフェースを有する第二のネットワークデバイスであって、前記モバイル用高品位インタフェースは前記複数のデータチャネルを有する１つのデータチャネルを有し、前記１つのデータチャネルは前記音声データ、前記映像データおよび前記補助データを伝送するように構成されているような第二のネットワークデバイスと、
を備えるネットワーク。
【請求項１６】
前記複数のデータチャネルは、マルチプレクサを通じて、前記１つのデータチャネルへと多重化される請求項１５に記載のネットワーク。
【請求項１７】
前記１つのデータチャネルは、デマルチプレクサを通じて、前記複数のデータチャネルへと分離される請求項１６に記載のネットワーク。
【請求項１８】
前記第一のネットワークデバイスは、前記第一のネットワークデバイスが前記モバイル用高品位インタフェースと適合しない場合、ドッキングステーションを介して前記第二のネットワークデバイスに連結される請求項１５に記載のネットワーク。
【請求項１９】
前記第一のネットワークデバイスは、前記第一のネットワークデバイスが前記モバイル用高品位インタフェースに適合している場合、前記ドッキングステーションを用いずに前記第二のネットワークデバイスに連結される請求項１８に記載のネットワーク。
【請求項２０】
前記第二のネットワークデバイスは、携帯電話、ハンドヘルド型コンピュータデバイス、およびモバイル音声／映像デバイスの１つまたは複数を含むモバイルデバイスを含む請求項１５に記載のネットワーク。
【請求項２１】
高品位インタフェースの複数のチャネルを１つのチャネルにマージし、モバイル用高品位インタフェースを構築するステップであって、前記モバイル用高品位インタフェースは、モバイルデバイス内の高品位メディアコンテンツの伝送を円滑化するように構成されているようなステップと、
前記１つのチャネルを受け取り、前記１つのチャネルを複数のチャネルへとマージ解除するステップと、
を含む方法。
【請求項２２】
前記モバイル用高品位インタフェースは、ＤＤＣ（Ｄｉｓｐｌａｙ  Ｄａｔａ  Ｃｈａｎｎｅｌ）バスとＣＥＣ（Ｃｏｎｓｕｍｅｒ  Ｅｌｅｃｔｒｏｎｉｃｓ  Ｃｏｎｔｒｏｌ）バスに代わる１本のコントロールバスを備える請求項２１に記載の方法。
【請求項２３】
前記複数のチャネルは音声データ、映像データおよび／または補助データを一緒に、または個別に伝送するように構成され、前記映像データは前記チャネルの各々によって伝送され、水平同期（ＨＳＹＮＣ）および／または垂直同期（ＶＳＹＮＣ）データは前記チャネルの中の１つによって伝送され、前記音声データは前記チャネルの中の複数のチャネルによって伝送され、コントロールパケットは前記チャネルの中の複数のチャネルによって伝送される請求項２１に記載の方法。
【請求項２４】
前記１つのチャネルの前記分離が前記複数のチャネルの前記復号処理の前に実行される場合、前記複数のチャネルの各々について個別に復号処理を実行するステップをさらに含む請求項２１に記載の方法。
【請求項２５】
前記１つのチャネルの前記分離が前記１つのチャネルの復号処理の後に行われる場合、前記１つのチャネルの復号処理を実行するステップをさらに含む請求項２４に記載の方法。
【発明の詳細な説明】
【技術分野】
【０００１】
本発明の実施形態は一般にネットワークの分野に関し、より詳しくは、モバイル用Ｈｉｇｈ−Ｄｅｆｉｎｉｔｉｏｎ  Ｍｕｌｔｉｍｅｄｉａ  Ｉｎｔｅｒｆａｃｅ（ＨＤＭＩ−Ｍ）を構築し、円滑化するための方法、装置およびシステムに関する。
【背景技術】
【０００２】
Ｈｉｇｈ−Ｄｅｆｉｎｉｔｉｏｎ  Ｍｕｌｔｉｍｅｄｉａ  Ｉｎｔｅｒｆａｃｅ（ＨＤＭＩ（登録商標））は、消費者にとってわかりやすい単純なコネクタを備えた、細く、使いやすいケーブルを用いて、最高品位の非圧縮の映像および音声を提供するように設計された、業界で支持されているデジタル接続標準インタフェースである。ＨＤＭＩは、１本の細いケーブルを使用して、類稀なエンタテインメント体験を提供できる最高品位の映像と音声の実現を促進する。たとえば、ＨＤＭＩは、フル６０Ｈｚ以上のリフレッシュレートで、１０８０ｐまで、および／またはこれを超える解像度のフルカラービデオ信号を送ることができる。ＨＤＭＩによれば、セットトップボックス、ＤＶＤ（Ｄｉｇｉｔａｌ  Ｖｉｄｅｏ  ＤｉｓｋまたはＤｉｇｉｔａｌ  Ｖｅｒｓａｔｉｌｅ  Ｄｉｓｋ）プレイヤ、音声／映像（Ａ／Ｖ）受信機、Ａ／Ｖモニタ（たとえば、デジタルテレビ（ＤＴＶ））をはじめとする音声／映像ソースの数がいくつであっても、１本のケーブルでこれらの機器の間をインタフェースできる。
【０００３】
ＨＤＭＩは業界標準であり、将来を考慮した仕様で策定されたものであるが、技術および技術関連のデバイスの継続的な急成長により、ＨＤＭＩおよび／またはＨＤＭＩを使用するネットワークの中のメディアデバイス、ケーブルおよびその他の要素を更新、改良および／または有効化して、ネットワークの各種の構成要素のデータ送信のための相互運用性を保持しながら、ユーザには引き続きＨＤＭＩの恩恵を享受させるようにする必要があることが明白となった。
【０００４】
たとえば、図１Ａに従来のＨＤＭＩ通信ネットワーク１００を示す。ネットワーク１００では、セルラー方式携帯電話１０２、コンピュータまたはサーバ１０４（パーソナルコンピュータ（ＰＣ）等）および高精細度テレビ（ＨＤＴＶ）１０６の３つのデバイスが相互に通信している。図のように、コンピュータ１０４とＨＤＴＶ１０６の間にはＨＤＭＩに基づく通信１０８が確立されているが、セルラー方式携帯電話１０２とコンピュータ１０４の間では従来のＵＳＢ（Ｕｎｉｖｅｒｓａｌ  Ｓｅｒｉａｌ  Ｂｕｓ）に基づく通信１１０が行われる。今日のセルラー方式携帯電話１０２は、会話による通信だけでなく、写真、映画をはじめとする各種のプレミアムメディアのアップロード、ダウンロード、鑑賞その他にも使用される。しかしながら、図１Ａに示されるような従来の技術を用いてＨＤＴＶ  １０６でプレミアムメディアコンテンツ（写真、映画等）を見るためには、まずこのようなコンテンツを、ＵＳＢリンク１１０を通じてコンピュータ１０４にダウンロードしてから、コンピュータ１０４を使ってそのコンテンツをＨＤＭＩリンク１０８経由で高精細度テレビ（ＨＤＴＶ）１０６に送信する必要がある。言い換えれば、今日の従来技術では、多くの重要なメディアデバイス（携帯電話１０２等）が他のＨＤ適合デバイス（ＨＤＴＶ  １０６等）と直接ＨＤＭＩベースの通信を行うことができない。
【０００５】
図１Ｂは、従来のＨＤＭＩ順路１５０を示す。送信機側１７４はＨＤＭＩロジック１５２、エンコーダ１５４およびシリアライザを備え、受信側１７８はデシリアライザ、デコーダ１５６およびＨＤＭＩロジック１７２を備える。この従来のＨＤＭＩ順路１５０の中で、ＨＤＭＩロジック１５２が各チャネル１６０、１６２、１６４のためのＨＤＭＩパケットを生成し、これがエンコーダ１５４によって符号化されてから、シリアライザを使って送信される。符号化処理は、チャネル１６０、１６２、１６４の各々についてエンコーダ１５４によって個別に実行される。エンコーダ１５４は、シリアル差分チャネル（ｓｅｒｉａｌ  ｄｉｆｆｅｒｅｎｔｉａｌ  ｃｈａｎｎｅｌｓ）１６０、１６２、１６４を通じて適正なデータ転送を行うために、ランニングディスパリティと距離特性を保持する。
ＨＤＭＩ受信機１７８は、シリアルデータを受信し、これをデシリアライズして、デコーダ１５６を使って復号する。デコーダ１５６は、ＨＤＭＩロジック１７２のための音声データ、映像データ、同期（ＳＹＮＣ）信号（水平同期（ＨＳＹＮＣ）、垂直同期（ＶＳＹＮＣ）、ＣＴＬＳ等）およびＤＥ信号を発生する。この復号処理は各チャネル１６０、１６４、１６６について個別に行われるが、これはデコーダ１５６が音声／映像データ到着時にＳＹＮＣ信号の最後の値を保存する必要があるからである。たとえば、ＨＳＹＮＣは、モニタに供給され、現在の水平ラインを引くのをやめ、次のラインを開始するようにモニタに伝える信号を指す。これが発生するのにかかる時間はヘルツ（Ｈｚ）で測定され、これは１秒あたりのサイクル数である。ＶＳＹＮＣは、モニタにいつ次のフレームを描くかを伝える工程または一連の値を説明するための信号を指す。これが発生するのにかかる時間も、ヘルツで測定される。
【発明の概要】
【発明が解決しようとする課題】
【０００６】
モバイル用Ｈｉｇｈ−Ｄｅｆｉｎｉｔｉｏｎ  Ｍｕｌｔｉｍｅｄｉａ  Ｉｎｔｅｒｆａｃｅを構築し、推進するための方法、装置およびシステムが提供される。
【課題を解決するための手段】
【０００７】
一実施形態において、装置は、高品位インタフェースの複数のチャネルを１つのチャネルにマージ（ｍｅｒｇｅ）して、モバイル用高品位インタフェースを構築するように構成された送信機を備え、モバイル用高品位インタフェースは、モバイルデバイス内での高品位メディアコンテンツの伝送を円滑化するように構成される。この装置は、送信機に連結された受信機をさらに備え、この受信機は１つのチャネルを受信し、１つのチャネルを複数のチャネルへとマージ解除（ｕｎｍｅｒｇｅ）するように構成される。
【０００８】
一実施形態において、システムは高品位インタフェースのチャネルを複数有する高品位インタフェースパッケージを受信するように構成された送信機を備え、この送信機は、複数のチャネルを１つのチャネルに多重化して、モバイル用高品位インタフェースを構築するように構成されたマルチプレクサを備え、モバイル用高品位インタフェースは、モバイルデバイス内の高品位メディアコンテンツの伝送を円滑化するように構成される。システムは、送信機に連結された受信機をさらに備え、この受信機は１つのチャネルを受け取るように構成され、また、この受信機は１つのチャネルを分離して複数のチャネルにするように構成されたデマルチプレクサを備える。
【０００９】
一実施形態において、ネットワークは、高品位インタフェースのホストとなるように構成された第一のネットワークインタフェースを有する第一のネットワークデバイスを含み、高品位インタフェースは複数のデータチャネルを有し、これらの複数のデータチャネルは３つのデータチャネルを有し、これらのデータチャネルは、音声データ、映像データおよび補助データを３つのすべてのチャネル上で一緒に、または別々に伝送するように構成されている。ネットワークは、モバイル用高品位インタフェースのホストとなるように構成される第二のネットワークインタフェースを有する第二のネットワークデバイスをさらに含み、モバイル用高品位インタフェースは、複数のデータチャネルを有する１つのデータチャネルを有し、この１つのデータチャネルは音声データ、映像データおよび補助データを伝送するように構成されている。
【００１０】
一実施形態において、方法は、高品位インタフェースの複数のチャネルを１つのチャネルにマージして、モバイル用高品位インタフェースを構築するステップを含み、モバイル用高品位インタフェースはモバイルデバイス内での高品位メディアコンテンツの伝送を円滑化するように構成されている。この方法は、１つのチャネルを受け取るステップと、１つのチャネルをマージ解除して複数のチャネルにするステップとを含む。
【００１１】
本発明の実施形態を限定のためではなく、例として添付の図面に示すが、図中、同様の要素には同様の参照番号が付与されている。
【図面の簡単な説明】
【００１２】
【図１Ａ】従来のＨＤＭＩネットワークを示す図である。
【図１Ｂ】従来のＨＤＭＩ順路を示す図である。
【図２】ＨＤＭＩ−Ｍのある実施形態を利用した、通信ネットワークのある実施形態を示す図である。
【図３】ＨＤＭＩ−Ｍを円滑化するためのＨＤＭＩ−Ｍケーブルのある実施形態を示す図である。
【図４】ＨＤＭＩ−Ｍを円滑化するための多重化のある実施形態を示す図である。
【図５】ＨＤＭＩ−Ｍを円滑化するためのＨＤＭＩ信号のある実施形態を示す図である。
【図６】ＨＤＭＩ−Ｍを円滑化するための多重化／分離順路のある実施形態を示す図である。
【図７】ＨＤＭＩ−Ｍを円滑化するための多重化／分離順路のある実施形態によるを示す図である。
【図８】ＨＤＭＩ−Ｍケーブルを有するＨＤＭＩ−Ｍシステム構成のある実施形態を示す図である。
【図９】ＨＤＭＩ−Ｍを構築し、円滑化するための工程のある実施形態を示す図である。
【発明を実施するための形態】
【００１３】
本発明の実施形態は一般にモバイル用Ｈｉｇｈ−Ｄｅｆｉｎｉｔｉｏｎ  Ｍｕｌｔｉｍｅｄｉａ  Ｉｎｔｅｒｆａｃｅを構築し、円滑化することに関する。
【００１４】
本明細書において、「エンタテインメントネットワーク」または「通信ネットワーク」は、デバイス間でデジタルメディアコンテンツ（音楽、音声／映像、ゲーム、写真その他）を供給するための相互接続ネットワークを意味する。エンタテインメントネットワークは、家庭内のネットワークのような個人的エンタテインメントネットワーク、ビジネスシーンにおけるエンタテインメントネットワーク、あるいはその他のエンタテインメントデバイスのネットワークその他を含む。このようなネットワークにおいて、あるネットワークデバイスは、メディアコンテンツのソースであってもよく、これらはたとえば、デジタルテレビチューナ、ケーブルセットトップボックス、ビデオ記憶サーバおよびその他のソースデバイスである。これら以外に、デジタルテレビ、ホームシアタシステム、オーディオシステム、ゲームシステムその他、メディアコンテンツを表示または使用するデバイスもある。さらに、あるデバイスはメディアコンテンツの保存または転送用の、たとえば映像および音声記憶サーバ等である。あるデバイスは、複数のメディア機能を実行してもよい。いくつかの実施形態において、ネットワークデバイスは１つのローカルエリアネットワーク上に共同設置されていてもよい。他の実施形態において、ネットワークデバイスは、複数のローカルエリアネットワーク間のトンネリング等により、複数のネットワークセグメントにわたっていてもよい。エンタテインメントネットワークは、複数のデータ符号化および暗号化工程を含んでいてもよい。
【００１５】
図２は、ＨＤＭＩ−Ｍのある実施形態を使用する、通信ネットワーク２００のある実施形態を示す図である。図のネットワーク２００には、各種のメディアデバイス、たとえば携帯電話２０２、コンピュータまたはサーバ２０４（ＰＣ等）およびテレビ２０６（ＨＤＴＶ等）が含まれる。ネッワーク２００に含まれるデバイスの数はいくつでもよい。このネットワーク２００において、デバイス２０２−２０６は、ストリーミングメディアデータ等のデータストリームを相互に、およびネットワーク２００の中の他のデバイスに転送してもよい。一実施形態において、ＨＤＭＩ−Ｍ通信２１２はＵＳＢ適合ＨＤＭＩ−Ｍケーブル２１２を使って行われ、携帯電話２０２とコンピュータ２０４の間のコンテンツ（絵、映画等）の通信（ダウンロード、アップロード等）に用いられる。他の実施形態において、携帯電話２０２とテレビ２０６の間でドッキングステーション２１６が使用される。たとえば、図のドッキングステーション２１６はＨＤＭＩ−Ｍ２１４を通じて携帯電話２０２と通信しているように描かれているのに対し、ドッキングステーション２１６はテレビ２０６とはＨＤＭＩ  ２１８を通じて通信しているが、これは図の例示的なテレビ２０６がＨＤＭＩ−Ｍをサポートしない従来のテレビであるからである。一実施形態において、ドッキングステーション２１６は、ＨＤＭＩ−ｍをサポートしていないテレビに対応するように、ＨＤＭＩ−ｍ  ２１４をＨＤＭＩ  ２１８に変更するのに使用される。さらに別の実施形態において、テレビ２０６はＨＤＭＩ−Ｍ適合であり、これによって別のドッキングステーション２１６が不要となり、携帯電話２０２とテレビ２０６の間には直接ＨＤＭＩ−Ｍ通信２１０が確立される。さらに、テレビ２０６とコンピュータ２０４の間にはＨＤＭＩ通信２０８が確立される。
【００１６】
図３は、ＨＤＭＩ−Ｍを円滑化するためのＨＤＭＩ−Ｍケーブル３５０のある実施形態を示す。小型デバイス、特に携帯電話（図２の携帯電話２０２等）の場合、小型デバイスのコネクタが小さく、比較的大きなＨＤＭＩケーブルを受け入れられないため、標準的ＨＤＭＩケーブルを使用することは非現実的である。図のように、従来のＨＤＭＩケーブル３０２には多くのワイヤまたはチャネル、たとえば青（Ｂ）（ワイヤ２本）３０４、緑（Ｇ）（ワイヤ２本）３０６、赤（Ｒ）（ワイヤ２本）３０８、Ｃ（ワイヤ２本）３１０、ＤＤＣ（ｄｉｓｐｌａｙ  ｄａｔａ  ｃｈａｎｎｅｌ）（ワイヤ２本）３１２、ＣＥＣ（ｃｏｎｓｕｍｅｒ  ｅｌｅｃｔｒｏｎｉｃｓ  ｃｏｎｔｒｏｌ）（ワイヤ１本）３１４等が含まれる。これらのワイヤ、たとえばＢ  ３０４、Ｇ  ３０６、Ｒ  ３０８等は各種のチャネルを表し、特定のタスクを実行するために利用される。たとえば、青のワイヤ３０４はＨＳＹＮＣとＶＳＹＮＣを伝送し、緑のワイヤ３０６と赤のワイヤ３０８は音声データを伝送し、これに対して、３つのチャネル３０４、３０６、３０８はすべて、映像データといくつかのコントロールパケットを一緒に伝送する。したがって、これらの要素またはこれらの要素に関するワイヤの各々は、各種の役割を果たすように特定用途化することも想定される。携帯電話等の小型モバイルデバイスは、デバイスが小さく、したがって小さなコネクタしかないため、ＨＤＭＩケーブル３０２ほど大きなケーブルを受け入れるように構成されていない。一実施形態において、ＨＤＭＩ−Ｍケーブル３５０は、それを小型モバイルデバイスに使用して、ＨＤ適合とし、ユーザがＨＤの恩恵を享受できるように作製される。
【００１７】
一実施形態において、ＨＤＭＩ−Ｍケーブル３５０は、ＨＤＭＩケーブル３０２のワイヤの数を減らしてＨＤＭＩケーブル３０２を変形させることによって作製してもよい。たとえば、Ｂ  ３０４、Ｇ  ３０６、Ｒ  ３０８の３つのペアワイヤをまとめて１つのペアワイヤＢＧＲ  ３５２とする。さらに、一実施形態において、２本のＤＤＣワイヤ３１２と、１本のＣＥＣワイヤ３１４をまとめて１本のコントロールバスＣＴＬ  ３５６とする。このように、従来のＨＤＭＩケーブル３０２の合計１１本のワイヤ３０４−３１４を新規のＨＤＭＩ−Ｍケーブル３５０の中で合計５本のワイヤ３５２−３５６に減らすのは、本願の図４以降の図面に示され、説明される多重化の１つまたは複数の実施形態を利用して行われる。いくつかの実施形態においては、ＨＤＭＩ−Ｍケーブル３５０に他の機能を追加してもよい。このような追加機能の例としては、メディアコンテンツの鑑賞中に携帯電話を充電できるようなＵＳＢワイヤと電源（たとえば、受信機（Ｒｘ）から送信機（Ｔｘ）へ）がある。
【００１８】
一実施形態において、ＨＤＭＩ−Ｍは、デジタル音声映像信号（デジタルテレビ用音声映像信号等）をモバイルデバイス、たとえばモバイルビデオプレイヤ、ビデオカメラ、その他の音声映像ソースから他のデバイス、たとえばテレビセット、プロジェクタおよびその他のビデオディプレイに送信するために設けられる。ＨＤＭＩ−Ｍインタフェースは、標準ＨＤＭＩケーブルの少ピン数バージョンを含むＨＤＭＩ−Ｍケーブル３５０を介して提供されてもよい。ＨＤＭＩ−Ｍは高品質のマルチチャンネル音声データを伝送する一方で、標準および高精細度家庭用電子機器ビデオ形式を伝送する。コンテンツ保護技術も提供される。ＨＤＭＩ−Ｍは、音声および／または映像データを一方向に伝送し、コントロールおよび状態情報は１本のコントロールワイヤを通じて双方向に伝送しながら、専用の差動ペアを使って、ＨＤＭＩデータと同時にＵＳＢデータを供給できる。本明細書全体を通じて、ＨＤＭＩ−Ｍについて、送信と相互接続のための完全なソリューションとして説明している。さらに、基本となるＴｒａｎｓｉｔｉｏｎ  Ｍｉｎｉｍｉｚｅｄ  Ｄｉｆｆｅｒｅｎｔｉａｌ  Ｓｉｇｎａｌｉｎｇ（ＴＭＤＳ）ベースのプロトコルとこれに関連する電気信号も、ＨＤＭＩ−Ｍに関して説明する。コネクタとコネクタ内の信号配置も説明する。ＨＤＭＩ−Ｍに適合するために必要な機械的、電気的、動作およびプロトコルに関する要求を、ソース、シンク、ケーブルについて定める。ソースとは、ＨＤＭＩまたはＨＤＭＩ−Ｍ出力を有するデバイスを指す。シンクとは、ＨＤＭＩまたはＨＤＭＩ−Ｍ入力を有するデバイスを指す。ＨＤＭＩまたはＨＤＭＩ−Ｍリピータは、同時にシンクとソースの両方として動作できるデバイスである。受信機とは、シンクへの入力としてＴＭＤＳ入力を受け取り、これらの信号を、２４ビット、１２ビットまたは６ビットのＴＭＤＳ復号ワードを示し、これらのビットの復号に使用されるＴＭＤＳ符号化モードを示すデジタル出力に変換する役割を担う構成要素を指す。このデジタル出力は、半導体デバイスの中に含められてもよく、また半導体デバイスからの出力であってもよい。送信機とは、ＴＭＤＳ出力ペアをＨＤＭＩ出力またはＨＤＭＩ−Ｍ出力に駆動し、またこれら４つの出力ペアに駆動されたデータのクロッキングの役割を担う構成要素を指す。
【００１９】
図４は、ＨＤＭＩ−Ｍを円滑化するための多重化処理４００の一実施形態を示す。一実施形態において、多重化処理４００では、ＴＭＤＳ時分割多重化によってＨＤＭＩの異なる３つのペア（Ｂ、Ｇ、Ｒ等）をマージして、ＨＤＭＩ−Ｍを円滑化するための１つの差動ペアにする。図のように、受信されるＨＤＭＩパケット４０２には、ＨＤＭＩパケット４０２の３つのチャネル４１６が含まれる（１×クロックのＨＤＭＩの３チャネル）。ＨＤＭＩの３つのチャネル４１４は多重化によって１つのチャネル４１８（たとえば、３×クロック）とされる。送信機４０６は、いくつかのケーブル４０８を通じてこのパックパケットを受信機４１０に送信する。受信機４１０は、パックパケットを受信し、１本のチャネル４１８の入力ストリームを、分離４１２によってＨＤＭＩパケット４０２の３つのチャネル４１６に戻す。
【００２０】
図５は、ＨＤＭＩ−Ｍを円滑化するためのＨＤＭＩ信号５００のある実施形態を示す。
ＨＤＭＩの３つのチャネルであるＴＭＤＳチャネル０  ５０２、ＴＭＤＳチャネル１  ５０４およびＴＭＤＳチャネル２  ５０６が示されている。チャネル０  ５０２は青を表し、チャネル１は緑を表し、チャネル２は赤を表す。一実施形態において、音声および／または映像の転送中、ＤＥ信号はハイとなり（５１０）、ＨＳＹＮＣとＶＳＹＮＣの期間中、ＤＥ信号はローとなる（５０８）。このＤＥ信号は、多重化および分離の基準信号として使用される。これについて、続きの図面を参照しながら詳しく説明する。
【００２１】
図６は、ＨＤＭＩ−Ｍを円滑化するための多重化／分離順路６００のある実施形態を示す。ＨＤＭＩ−Ｍ送信機６０２では、３チャネルＨＤＭＩパケットがＨＤＭＩロジック６０６によって生成される。この３チャンネルＨＤＭＩパケットはまず、タイムマルチプレクサ６０８を使って、たとえばＢ、Ｇ、Ｒ  ６１０の順序で時分割多重化される。この順序は、送信機６０２と受信機６０４が同じ順序を使うかぎり、違っていてもよいと想定される。ＤＥはＲ／Ｇ／Ｂデータについてハイであるため、最初のＤＥハイはＲ／Ｇ／Ｂの最初のものと整列され、この図の実施形態ではＢがそのチャネル上で送信される最初のデータであるため、最初のＤＥハイはＢと整列する。この多重化されたＢＧＲ  ６１０は次にＴＭＤＳエンコーダ６１２へと進み、その結果、１つのＢＧＲチャネル６１４となる。
このように、最初に多重化し、続いて符号化するという順序を保ち、１つのチャネルのランニングディスパリティとランレングスを保持する。たとえば、多重化の前に３つのエンコーダを使用して符号化した場合、各エンコーダには他の２つのエンコーダの中のデータがわからないため、そのチャネルはこれらの特性を保持できなくなるであろう。
【００２２】
ＨＤＭＩ−Ｍ受信機６０４では、多重化されたＢＧＲチャネル６１４はまず、デマルチプレクサ６１６を使って分離され、３つの個別のストリーム、Ｂ  ６１８、Ｇ  ６２０、Ｒ  ６２２となる。この実施形態による分離において、最初のＤＥハイは、Ｂ６１８が３つの中の最初のものであるためＢデータと整列し、これが、どのデータがＢに関連付けられるか、どのデータがＲに関連付けられるか、等々を判断するのに役立つ。いったん分離が行われると、各チャネル６１８、６２０、６２２の復号処理は、デコーダ６２４、６２６、６２８を使って個別に実行され、ＨＤＭＩロジック６３０によって使用されるようにする。一実施形態において、このように分離してから復号するという新規な順序を各デコーダ６２４、６２６、６２８に用い、ＤＥハイの期間の最後のＳＹＮＣ値を保持する。ＳＹＮＣの保持は、各チャネル６１８、６２０、６２２が異なるＳＹＮＣ信号を伝送するため、各チャネルについて個別に行わなければならない。一実施形態において、分離してから復号するというこの順序は、ＴＭＤＳデコーダ６２４、６２６、６２８が特定の特性、たとえばランニングディスパリティ等をその復号化機能に使わないことから採用される。
また、分離によってランニングディスパリティ特性が失われたとしても、ここで使用されるＴＭＤＳデコーダ６２４、６２６、６２８には影響を与えず（デコーダはその特性を使用しないからである）、その結果、分離してから復号するという順序は実現可能かつ実用的となる。さらに、このように分離後に復号するという新規な方法を採用することによって、ＨＤＭＩ−Ｍ受信機６０４をＨＤＭＩとＨＤＭＩ−Ｍのためのデュアルモード受信機として使用することが可能となるが、これは、ＨＤＭＩロジック６３０が、この新規な方法と従来の多重化／分離の順番との違いがわからなくなるように錯覚を起こすため、ＨＤＭＩロジック６３０にとって、分離後に復号という方法も同じに見えるからである。
【００２３】
図７は、ＨＤＭＩ−Ｍを円滑化するための多重化／分離順路７００のある実施形態を示す。簡潔にするために、この多重化／分離順路７００の中で、図６の順路６００と同様の部分は図７の中では割愛した。たとえば、図の実施形態において、ＨＤＭＩ−Ｍ送信機７０２での多重化工程は、ＨＤＭＩ−Ｍ送信機６０２における多重化工程と同じである。ＨＤＭＩ−Ｍ受信機７０４では、分離して復号するという順序は、図６に示した順序に関して交換される。デコーダ７２４を使って復号した後にデマルチプレクサ７１６を使って分離するというこの新規な方法を採用した場合、デコーダ７２４は各チャネルＢ  ７１８、Ｇ  ７２０、Ｒ  ７２２の最後のＳＹＮＣ値を保持しない。この実施形態でその機能を果たすのはマルチプレクサ７１６であり、マルチプレクサ７１６が各チャネルＢ  ７１８、Ｇ  ７２０、Ｒ  ７２２の最後のＳＹＮＣ値を保持するが、これはデマルチプレクサ７１６がＤＥハイの期間中の最後のコントロール信号を保存することを意味する。
【００２４】
図８は、ＨＤＭＩ−Ｍケーブル８３２を有するＨＤＭＩ−Ｍシステム構成８００のある実施形態を示す。図の実施形態において、この実施形態によるＨＤＭＩ−Ｍシステム構成８００には、ソース８０２とシンク８０４が含まれる。各デバイスは、１つまたは複数のＨＤＭＩ−Ｍ入力と１つまたは複数のＨＤＭＩ−Ｍ出力を有していてもよい。これらのデバイスのＨＤＭＩ−Ｍ入力の各々は、ＨＤＭＩ−Ｍシンクに関するルールに従い、ＨＤＭＩ−Ｍ出力の各々は、ＨＤＭＩ−Ｍソースに関するルールに従う。図のように、ＨＤＭＩ−Ｍケーブル８３２とコネクタは、ＴＭＤＳデータチャネル８２４とＴＭＤＳクロックチャネル８２６を構成する２つの異なるペアを伝送する。これらのチャネル８２４、８２６は、映像データ８１０、８１２、音声データ８１４、８１６、補助データ８１８、８２０の伝送に用いられる。さらに、ＨＤＭＫ−Ｍケーブル８３２では、シングルワイヤコントロールバス８２８が搬送される。コントロールバス８２８は、１つのソース８０２と１つのシンク８０４の間の環境設定と状態情報交換に使用され、これによってユーザの環境の中で各種のオーディオビジュアル製品すべてを高度に制御することができる。一実施形態において、コントロールバス８２８は、標準ＨＤＭＩ接続の従来のＤＤＣとＣＥＣバスの両方の代用となり、これによって他のプロトコルにも対応できる。さらに、一実施形態において、ＨＤＭＩ−Ｍケーブルは、専用のＵＳＢ接続差動ペア８３０を使って、ＨＤＭＩデータと同時にＵＳＢデータを伝送することも可能である。ＵＳＢソースを使用した場合、ＨＤＭＩ−Ｍソース８０２がＵＳＢデバイスとして動作すると、ＨＤＭＩ−Ｍシンク８０４はＵＳＢホストとして動作する。
【００２５】
一実施形態において、標準ＨＤＭＩインタフェースの３つの従来のチャネルは多重化されて１つのデータチャネル８２４となる。映像データ８１０、８１２、音声データ８１４、８１６、補助データ８１８、８２０はすべて、この１つのＴＭＤＳデータチャネル８２４を通じて伝送される。一般的にビデオ画素レートの倍数で動作するＴＭＤＳクロックが、ＴＭＤＳクロックチャネル８２６を通じて送信され、受信機８０８によって、ＴＭＤＳデータチャネル８２４でのデータ回復のための基準周波数として使用される。ソース８０２において、ＴＭＤＳ復号処理によって、各チャネルのＨＤＭＩデータの８ビットは１０ビットの遷移時間最短コード（ＴＭＤＳ）シーケンスに変換され、これは次に、ＴＭＤＳクロック期間あたり１０ビットの速度でＴＭＤＳデータチャネル８２４によって逐次的に送信される。最高２２５ＭＨｚのリンク周波数で、画素クロックレートは最高７５ＭＨｚ（７２０ｐ／１０８０ｉ等）となる。映像データの画素サイズは２４、３０、３６、４８ビット等とすることができ、デフォルトの色深度２４ビットの映像データは、画素クロックレートと等しいＴＭＤＳクロックレートで伝送される。これより高い色深度でも、相応に高いＴＭＤＳクロックレートで伝送される。ＴＭＤＳレートが２５ＭＨｚ未満（４８０ｉ／ＮＴＳＣでは１３．５ＭＨｚ等）のビデオ形式は、画素繰返し方式を使って送信できる。ビデオ画素は、ＲＧＢ、ＹＣＢＣＲ  ４：４：４、ＹＣＢＣＲ  ４：２：２等、各種の形式で符号化可能である。ここに記した数値（周波数等）は本明細書においてあくまでも例として使用すべきであり、これらの数値は希望と必要に応じて変更できることが理解される。
【００２６】
ＴＭＤＳデータチャネル８２４で音声データと補助データを送信する場合、ＨＤＭＩ−Ｍは標準ＨＤＭＩと同じパケット構造を使用する。たとえば、基本的なオーディオ機能は、サンプルレート３２ｋＨｚ、４４．１ｋＨｚ、４８ｋＨｚ等々の１つのＩＥＣ  ６０９５８準拠Ｌ−ＰＣＭ音声ストリームで構成される。これは、たとえば、あらゆるノーマルステレオストリームに対応できる。任意で、ＨＤＭＩ−Ｍを用いれば、これらの音声データを最高１９２ＫＨｚのサンプルレートと３−８の音声チャネルで伝送できる。ＨＤＭＩ−Ｍはまた、ＩＥＣ  ６１９３７準拠の圧縮（サラウンド−サウンド）音声ストリームを、最高２４．５７６Ｍｂｐｓのビットレートで伝送できる。ＨＤＭＩ−Ｍはまた、１ビットオーディオの２−８チャネルと、直接ストリームトランスポート（ＤＳＴ）と呼ばれる１ビットオーディオの圧縮形態も伝送できる。コントロールバス８２８は、従来のＨＤＭＩのＤＤＣとＣＥＣプロトコルの両方にとっての橋渡しとなり、将来の他のプロトコルにも対応できる余地を十分に有する、ポイント・ツー・ポイントのシングルワイヤバスとして使用される。さらに、一実施形態において、ＨＤＭＩ−Ｍにより、ＨＤＭＩ−Ｍケーブル８３２の一部として、ＵＳＢデータをＨＤＭＩデータと同時に伝送するための専用差動ＵＳＢペア８３０を設けることができる。ＨＤＭＩ−Ｍソース８０２はＵＳＢデバイスとして動作し、ＨＤＭＩ−Ｍシンク８０４は、ＵＳＢデータがＵＳＢ接続８３０を通じて伝送されたときに、ＵＳＢホストとして動作する。どれがＵＳＢホストで、どれがＵＳＢデバイスかの決定は、ＵＳＢ仕様書たとえばＵＳＢ  ＯＴＧ等を使って行ってもよい。ここに記した数値（周波数等）は例にすぎず、希望や必要に応じて変更できると想定される。
さらに、ＨＤＭＩ−Ｍケーブル８３２の中またはその周辺の各種の接続と接続配置は、適正かつ有効にＨＤＭＩ−Ｍを円滑化し、常に変化する技術に合わせて、また希望や必要に応じて変更できる。
【００２７】
図９は、ＨＤＭＩ−Ｍの構築と円滑化のための工程のある実施形態を示す。一実施形態において、処理ブロック９０２でＨＤＭＩが特定される。ＨＤＭＩは一般に、デバイス間で、標準ＨＤＭＩワイヤ、コネクタおよび／またはキャリアを有するＨＤＭＩケーブルによって支援される。通常は標準ＨＤＭＩを受け入れられないような小型モバイルデバイス（携帯電話、ハンドヘルドデバイス、ｉ−ｐｏｄ等）を含むデバイス間でのＨＤＭＩ−Ｍを円滑化するために、標準ＨＤＭＩケーブルを新規なＨＤＭＩ−Ｍケーブルに変更する（９１２）。一実施形態において、複数のＨＤＭＩデータチャネル（音声データ、映像データ、補助データ用の３つのＨＤＭＩチャネル等）は、処理ブロック９０４で多重化されて１つのデータチャネルになる。多重化、分離、符号化、および復号のための工程と構成については、前の図面のいくつか等、本明細書の他の部分で説明されている。
【００２８】
一実施形態において、データチャネルの場合と同様に、処理ブロック９０６では、ＨＤＭＩ−Ｍを円滑化するために、ＤＤＣバス、ＣＥＣバス等の標準ＨＤＭＩケーブルの複数のバスが１つのコントロールバスに変更される。さらに、処理ブロック９０８では、デバイス間のＵＳＢデータ転送等、他の形態によるデータの転送を円滑化するために、別の機能、たとえばＵＳＢ接続ペア等が新規のＨＤＭＩ−Ｍケーブルに追加される。処理ブロックでは、ＨＤＭＩ−ｍデバイスとＨＤＭＩデバイス（ＨＤＭＩ−ｍではないデバイス）の間の接続が、新規なＨＤＭＩ−Ｍ技術とケーブルを使って確立される。たとえば、ＨＤＭＩ−Ｍを使えば、ＨＤＭＩ−ｍを有するハンドヘルドデバイスをつないで、ＨＤＭＩをサポートする（がＨＤＭＩ−ｍをサポートしない）高精細度テレビと通信させることができる。このような接続は、デバイス間のドッキングステーションを用いて行っても（たとえば、テレビがＨＤＭＩ−Ｍ装備型または適合型ではない場合）、またはドッキングステーションを用いずに行っても（たとえば、テレビがＨＤＭＩ−Ｍ装備型または適合型である場合）よい。
【００２９】
上述のように、説明のために、本発明を十分に理解できるように数多くの具体的な詳細事項が示されている。しかしながら、当業者であれば、本発明はこのような具体的詳細事項のいくつかがなくても実践可能であることがわかるであろう。別の場合では、周知の構造やデバイスがブロック図の形で示される。図に示されている構成要素と構成要素の間には、介在する構造があってもよい。本願の説明文や図に示された構成要素には、図や説明にはない入力や出力があってもよい。
【００３０】
本発明の各種の実施形態は、各種のプロセスを含んでいてもよい。これらのプロセスは、ハードウェア構成要素によって遂行されるようにしても、あるいはコンピュータプログラムや機械実行可能な命令の中に具現化し、これを用いて、その命令を含めてプログラムされた汎用または特定用途プロセッサまたはロジック回路にプロセスを実行させるようにしてもよい。あるいは、プロセスは、ハードウェアとソフトウェアの組み合わせによって遂行されてもよい。
【００３１】
本発明の各種の実施形態の一部をコンピュータプログラム製品として提供してもよく、これにはコンピュータプログラム命令が記録されたコンピュータ読取可能媒体も含まれ、このような製品は、コンピュータ（またはその他の電子デバイス）を、本発明の実施形態によるプロセスを実行するようにプログラムするのに用いられる。機械読取可能媒体としては、これらに限定されないが、フロッピー（登録商標）ディスケット、光ディスク、ＣＤ−ＲＯＭ（ｃｏｍｐａｃｔ  ｄｉｓｋ  ｒｅａｄ−ｏｎｌｙ  ｍｅｍｏｒｙ）、光磁気ディスク、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、ＥＰＲＯＭ（ｅｒａｓａｂｌｅ  ｐｒｏｇｒａｍｍａｂｌｅ  ｒｅａｄ−ｏｎｌｙ  ｍｅｍｏｒｙ）、ＥＥＰＲＯＭ（ｅｌｅｃｔｒｉｃａｌｙ−ｅｒａｓａｂｌｅ  ｐｒｏｇｒａｍｍａｂｌｅ  ｒｅａｄ−ｏｎｌｙ  ｍｅｍｏｒｙ）磁気もしくは光カード、フラッシュメモリまたは、電子命令の保存に適した上記以外の種類の媒体／機械読取可能媒体がある。さらに、本発明はまた、コンピュータプログラム製品としてダウンロードされてもよく、この場合、プログラムは、リモートコンピュータからこれを要求したコンピュータへと転送される。
【００３２】
さまざまな方法を、その最も基本的な形態で説明したが、本発明の基本的範囲から逸脱することなく、これらの方法にプロセスを追加し、またそこから削ったり、上の記述内容に情報を追加し、またそこから削除したりすることができる。当業者であれば、さらにまた数多くの改変や適応化が可能であることが明らかであろう。個々の実施形態は、本発明を限定するためではなく、説明のために提供したものである。本発明の実施形態の範囲は、上述の具体例ではなく、以下の特許請求の範囲によってのみ決定されるものとする。
【００３３】
要素Ａが要素Ｂに、または要素Ｂと連結されている、との記述がある場合、要素Ａは直接Ｂに結合されていても、あるいはたとえば要素Ｃを通じて間接的に接続されていてもよい。明細書または特許請求範囲に、構成要素、特徴、構造、プロセスまたは特性Ａが構成要素、特徴、構造、プロセスまたは特性Ｂの「基因となる」と記載されている場合、これは、ＡはＢの少なくとも部分的基因であるが、Ｂの誘引を助ける構成要素、特徴、構造、プロセスまたは特性がその他に少なくとも１つあってもよいことを意味する。明細書に、ある構成要素、特徴、構造、プロセスまたは特性が「含まれていてもよい（ｍａｙ）」、「含まれるかもしれない（ｍｉｇｈｔ）」または「含まれうる（ｃｏｕｌｄ）」と記されている場合、この特定の構成要素、特徴、構造、プロセスまたは特性が含まれている必要はない。明細書または特許請求の範囲に、「１つの（ａ，ａｎ）」要素への言及がある場合、言及された当該の要素が１つしかないことを意味しない。
【００３４】
ある実施形態は、本発明の実現態様または例である。明細書における「ある実施形態」、「一実施形態」、「いくつかの実施形態」または「他の実施形態」という表現は、その実施形態に関連して説明された特定の特徴、構造または特性が少なくともいくつかの実施形態に含まれるが、必ずしもすべての実施形態に含まれるとは限らないことを意味する。
「ある実施形態」、「一実施形態」または「いくつかの実施形態」の用語がさまざまな箇所で使用されていても、必ずしもすべてが同じ実施形態を指すというわけではない。本発明の例示的な実施形態に関する上記の説明においては、開示を簡素化し、本発明の多様な態様の１つまたは複数を理解しやすくするために、各種の特徴が１つの実施形態、図面またはこれに関する説明の中にまとめられている場合があることがわかるであろう。しかしながら、このような説明方法は、特許請求されている発明には各請求項に明記されているもの以外の特徴が必要となるという意図を反映したものと解釈すべきではない。むしろ、以下の特許請求の範囲に反映されているように、本発明の態様は、上述のある１つの実施形態に含まれる全特徴の中の一部を備える形態にある。したがって、特許請求の範囲をこの説明の中に明確に取り入れるものとし、各請求項は、それ自体が本発明の異なる実施形態として独立しているものとする。
【図１Ａ】
2014060778.tif 000003
【図１Ｂ】
2014060778.tif 000004
【図２】
2014060778.tif 000005
【図３】
2014060778.tif 000006
【図４】
2014060778.tif 000007
【図５】
2014060778.tif 000008
【図６】
2014060778.tif 000009
【図７】
2014060778.tif 000010
【図８】
2014060778.tif 000011
【図９】
2014060778.tif 000012
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
高品位インタフェースの複数のチャネルを１つのチャネルにマージし、モバイル用高品位インタフェースを構築するように構成された送信機であって、前記モバイル用高品位インタフェースは、モバイルデバイス内の高品位メディアコンテンツの伝送を円滑化するように構成されているような送信機と、
前記送信機に連結された受信機であって、前記１つのチャネルを受け取るように構成され、前記１つのチャネルをマージ解除によって前記複数のチャネルにするように構成されているような受信機と、を備え、
前記受信機は、前記１つのチャネルの分離が前記複数のチャネルの復号処理より前に行われる場合、前記複数のチャネルの各々について個別に復号処理を行うように構成されたデコーダを備える、装置。
【請求項２】
前記モバイル用高品位インタフェースには、ＤＤＣ（Ｄｉｓｐｌａｙ  Ｄａｔａ  Ｃｈａｎｎｅｌ）バスとＣＥＣ（Ｃｏｎｓｕｍｅｒ  Ｅｌｅｃｔｒｏｎｉｃｓ  Ｃｏｎｔｒｏｌ）バスに代わる１本のコントロールバスが含まれる請求項１に記載の装置。
【請求項３】
前記モバイル用高品位インタフェースは、ＵＳＢデータを伝送できるＵＳＢ（Ｕｎｉｖｅｒｓａｌ  Ｓｅｒｉａｌ  Ｂｕｓ）チャネルをさらに含む請求項２に記載の装置。
【請求項４】
前記複数のチャネルは音声データ、映像データおよび／または補助データを一緒に、または個別に伝送するように構成され、前記映像データは前記チャネルの各々によって伝送され、水平同期（ＨＳＹＮＣ）および／または垂直同期（ＶＳＹＮＣ）データは前記チャネルの中の１つによって伝送され、前記音声データは前記チャネルの中の複数のチャネルによって伝送され、コントロールパケットは前記チャネルの中の複数のチャネルによって伝送される請求項１に記載の装置。
【請求項５】
前記１つのチャネルは、前記音声データ、前記映像データおよび前記補助データを伝送するように構成されている請求項１に記載の装置。
【請求項６】
前記複数のチャネルの前記１つのチャネルへのマージは、前記複数のチャネルを前記送信機のマルチプレクサを通じて前記１つのチャネルへと多重化するステップを含む請求項１に記載の装置。
【請求項７】
前記１本のチャネルの前記複数のチャネルへのマージ解除は、前記１つのチャネルを、前記受信機のデマルチプレクサを通じて前記複数のチャネルに分離するステップを含む請求項１に記載の装置。
【請求項８】
前記デコーダは、前記１つのチャネルの前記分離が前記１つのチャネルの前記復号処理の後に行われる場合、前記１つのチャネルの復号を行うように構成されている請求項１に記載の装置。
【請求項９】
高品位インタフェースの複数のチャネルを有する高品位インタフェースのパッケージを受け取るように構成された送信機であって、前記送信機は前記複数のチャネルを１つのチャネルへと多重化し、モバイル用高品位インタフェースを構築するように構成されたマルチプレクサを有し、前記モバイル用高品位インタフェースは、モバイルデバイス内での高品位メディアコンテンツの伝送を円滑化するように構成されているような送信機と、
前記送信機に連結された受信機であって、前記受信機は前記１つのチャネルを受け取るように構成され、前記受信機は、前記１つのチャネルを前記複数のチャネルに分離するように構成されたデマルチプレクサを備えるような受信機と、を備え、
前記受信機は、前記１つのチャネルの前記分離が前記複数のチャネルの復号処理より前に行われる場合、前記複数のチャネルの各々について個別に復号処理を行うように構成されたデコーダを備える、システム。
【請求項１０】
前記モバイル用高品位インタフェースは、ＤＤＣ（Ｄｉｓｐｌａｙ  Ｄａｔａ  Ｃｈａｎｎｅｌ）バスとＣＥＣ（Ｃｏｎｓｕｍｅｒ  Ｅｌｅｃｔｒｏｎｉｃｓ  Ｃｏｎｔｒｏｌ）バスに代わる１本のコントロールバスを備える請求項９に記載のシステム。
【請求項１１】
前記複数のチャネルは音声データ、映像データおよび／または補助データを一緒に、または個別に伝送するように構成され、前記映像データは前記チャネルの各々によって伝送され、水平同期（ＨＳＹＮＣ）および／または垂直同期（ＶＳＹＮＣ）データは前記チャネルの中の１つによって伝送され、前記音声データは前記チャネルの中の複数のチャネルによって伝送され、コントロールパケットは前記チャネルの中の複数のチャネルによって伝送される請求項９に記載のシステム。
【請求項１２】
前記デコーダは、前記１つのチャネルの前記分離が前記１つのチャネルの前記復号処理の後に行われる場合、前記１つのチャネルの復号を行うように構成されている請求項９に記載のシステム。
【請求項１３】
高品位インタフェースのホストとなるように構成された第一のネットワークインタフェースを有する第一のネットワークデバイスであって、前記高品位インタフェースは複数のデータチャネルを有し、前記複数のデータチャネルは音声データ、映像データおよび／または補助データを伝送するように構成されているような第一のネットワークデバイスと、  モバイル用高品位インタフェースのホストとなるように構成された第二のネットワークインタフェースを有する第二のネットワークデバイスであって、前記モバイル用高品位インタフェースは前記複数のデータチャネルを有する１つのデータチャネルを有し、前記１つのデータチャネルは前記音声データ、前記映像データおよび前記補助データを伝送するように構成されているような第二のネットワークデバイスと、を備え、
前記１つのデータチャネルは、受信機によって受信され、前記受信機は、前記１つのデータチャネルを前記複数のデータチャンネルに分離するように構成されたデマルチプレクサを備え、前記受信機は、前記１つのチャネルの前記分離が前記複数のデータチャネルの復号処理より前に行われる場合、前記複数のチャネルの各々について個別に復号処理を行うように構成されたデコーダを備える、ネットワーク。
【請求項１４】
前記複数のデータチャネルは、マルチプレクサを通じて、前記１つのデータチャネルへと多重化される請求項１３に記載のネットワーク。
【請求項１５】
前記１つのデータチャネルは、デマルチプレクサを通じて、前記複数のデータチャネルへと分離される請求項１４に記載のネットワーク。
【請求項１６】
前記第一のネットワークデバイスは、前記第一のネットワークデバイスが前記モバイル用高品位インタフェースと適合しない場合、ドッキングステーションを介して前記第二のネットワークデバイスに連結される請求項１３に記載のネットワーク。
【請求項１７】
前記第一のネットワークデバイスは、前記第一のネットワークデバイスが前記モバイル用高品位インタフェースに適合している場合、前記ドッキングステーションを用いずに前記第二のネットワークデバイスに連結される請求項１６に記載のネットワーク。
【請求項１８】
前記第二のネットワークデバイスは、携帯電話、ハンドヘルド型コンピュータデバイス、およびモバイル音声／映像デバイスの１つまたは複数を含むモバイルデバイスを含む請求項１３に記載のネットワーク。
【請求項１９】
前記デコーダは、前記１つのチャンネルの前記分離が前記１つのチャンネルの復号処理より後に行われた場合、前記１つのチャンネルの復号処理を行うように構成されている、請求項１３に記載のネットワーク。
【請求項２０】
送信機を介して、高品位インタフェースの複数のチャネルを１つのチャネルにマージし、モバイル用高品位インタフェースを構築するステップであって、前記モバイル用高品位インタフェースは、モバイルデバイス内の高品位メディアコンテンツの伝送を円滑化するように構成されているようなステップと、
前記送信機に接続された受信機を介して、前記１つのチャネルを受け取り、前記１つのチャネルを複数のチャネルへとマージ解除するステップと、を含み、
前記受信機は、前記１つのチャネルの分離が前記複数のチャネルの復号処理より前に行われる場合、前記複数のチャネルの各々について個別に復号処理を行うように構成されたデコーダを備える、コンピュータ実施方法。
【請求項２１】
前記モバイル用高品位インタフェースは、ＤＤＣ（Ｄｉｓｐｌａｙ  Ｄａｔａ  Ｃｈａｎｎｅｌ）バスとＣＥＣ（Ｃｏｎｓｕｍｅｒ  Ｅｌｅｃｔｒｏｎｉｃｓ  Ｃｏｎｔｒｏｌ）バスに代わる１本のコントロールバスを備える請求項２０に記載のコンピュータ実施方法。
【請求項２２】
前記複数のチャネルは音声データ、映像データおよび／または補助データを一緒に、または個別に伝送するように構成され、前記映像データは前記チャネルの各々によって伝送され、水平同期（ＨＳＹＮＣ）および／または垂直同期（ＶＳＹＮＣ）データは前記チャネルの中の１つによって伝送され、前記音声データは前記チャネルの中の複数のチャネルによって伝送され、コントロールパケットは前記チャネルの中の複数のチャネルによって伝送される請求項２０に記載のコンピュータ実施方法。
【請求項２３】
前記１つのチャネルの前記分離が前記複数のチャネルの前記復号処理の前に実行される場合、前記複数のチャネルの各々について個別に復号処理を実行するステップをさらに含む請求項２０に記載のコンピュータ実施方法。
【請求項２４】
前記１つのチャネルの前記分離が前記１つのチャネルの復号処理の後に行われる場合、前記１つのチャネルの復号処理を実行するステップをさらに含む請求項２３に記載のコンピュータ実施方法。
【請求項２５】
前記デコーダは、前記１つのチャネルの前記分離が前記１つのチャネルの復号処理の後に行われる場合、前記１つのチャネルの復号処理を実行するように構成されている、請求項２０に記載のコンピュータ実施方法。